(57)【要約】  本発明は、少なくとも１つの接続端子ハウジング（２）を有する端子ブロック（１）に関する。接続端子ハウジング（２）は長手方向（３２）に延びる。長手方向（３２）と交差する横方向（３３）において、接続端子ハウジング（２）は列を作ることができる。長手方向（３２）で見ると、第１フランジ（１０）は接続端子ハウジング（２）の第１端部（８）の第１領域（３０）において第１の方向（１２）に延びる。長手方向（３２）で見ると、第２フランジ（１１）は接続端子ハウジング（２）の第２端部（９）の第２領域（３０）において第１の方向（１２）と異なる第２の方向（１３）に延びる。【選択図】図２
2014524648.tif 000002
【特許請求の範囲】
【請求項１】
少なくとも１つの接続端子ハウジング（２）を有する端子ブロック（１）であって、前記接続端子ハウジング（２）が長手方向（３２）に延び、および前記接続端子ハウジング（２）が前記長手方向（３２）と交差する横方向（３３）において列を作ることができる端子ブロック（１）において、
前記長手方向（３２）で見ると、第１フランジ（１０）が前記接続端子ハウジング（２）の第１端部（８）の第１領域（３０）において第１の方向（１２）に延びること、および前記長手方向（３２）で見ると、第２フランジ（１１）が前記接続端子ハウジング（２）の第２端部（９）の第２領域（３１）において前記第１の方向（１２）と異なる第２の方向（１３）に延びることを特徴とする端子ブロック（１）。
【請求項２】
請求項１に記載の端子ブロック（１）において、前記接続端子ハウジング（２）が、クロスブリッジ（５）用の少なくとも１つの挿入開口（４）を有することを特徴とする端子ブロック（１）。
【請求項３】
請求項２に記載の端子ブロック（１）において、前記挿入開口（４）が前記接続端子ハウジング（２）の中央領域（６）に設けられることを特徴とする端子ブロック（１）。
【請求項４】
請求項１乃至３の何れか１項に記載の端子ブロック（１）において、少なくとも前記第１フランジ（１０）および／または前記第２フランジ（１１）が、前記接続端子ハウジング（２）に対してある角度で配置されることを特徴とする端子ブロック（１）。
【請求項５】
請求項１乃至４の何れか１項に記載の端子ブロック（１）において、前記第２の方向（１３）が前記第１の方向（１２）と反対に整列されることを特徴とする端子ブロック（１）。
【請求項６】
請求項１乃至５の何れか１項に記載の端子ブロック（１）において、前記第１および前記第２フランジ（１０、１１）が、前記接続端子ハウジング（２）に対して実質的に点対称に配置されることを特徴とする端子ブロック（１）。
【請求項７】
請求項１乃至６の何れか１項に記載の端子ブロック（１）において、前記接続端子ハウジング（２）が片側（１４）で閉鎖されるように構成されることを特徴とする端子ブロック（１）。
【請求項８】
請求項１乃至７の何れか１項に記載の端子ブロック（１）において、前記第１および／または第２フランジ（１０、１１）の横方向の幅（１６、１７）が、前記接続端子ハウジング（２）の横延伸部（１８）より大きいことを特徴とする端子ブロック（１）。
【請求項９】
請求項１乃至８の何れか１項に記載の端子ブロック（１）において、複数の接続端子ハウジング（２ａ、２ｂ、２ｃ）が隣り合わせに連続して配置され、端子ブロックハウジング（２ｂ）の１つのフランジ（１０、１１）が、隣接する端子ブロックハウジング（２ａ、２ｃ）の対応するフランジ（１０、１１）に挿入されることを特徴とする端子ブロック（１）。
【請求項１０】
請求項１乃至９の何れか１項に記載の端子ブロック（１）において、少なくとも１つの第１および／または第２フランジ（１０、１１）が、前端部（２０）において少なくとも１つの面取り部（１９）を有することを特徴とする端子ブロック（１）。
【請求項１１】
請求項１乃至１０の何れか１項に記載の端子ブロック（１）において、少なくとも１つのガイド溝（２１）が、少なくとも第１および／または第２フランジ（１０、１１）に設けられることを特徴とする端子ブロック（１）。
【請求項１２】
請求項１乃至１１の何れか１項に記載の端子ブロック（１）において、少なくとも１つのガイド外形部（２２）が、少なくとも第１および／または第２フランジ（１０、１１）に設けられることを特徴とする端子ブロック（１）。
【請求項１３】
請求項１乃至１２の何れか１項に記載の端子ブロック（１）において、少なくとも１つのカバープレート（３）が設けられることを特徴とする端子ブロック（１）。
【発明の詳細な説明】
【技術分野】
【０００１】
本発明は端子ブロックおよびフランジ端子に関する。かかる端子ブロックまたはフランジ端子は、例えば取付板の表面に固定されるが、他の場所に取り付けることもできる。
【０００２】
取付用フランジを有する様々な端子ブロックが従来技術で知られている。例えば、フランジを使用して取り付け可能でありかつ隣り合わせに連続して配置可能な端子ブロックが知られている。一端に、フランジを設けたフランジ端子が設けられ、それに単一の端子ブロックが、他端においてフランジを有するカバープレートが設けられるまで、取り付けられる。このような端子ブロックの構成は、２つ以上の異なる構成要素、すなわち、一方でフランジ端子を、他方でフランジのない端子ブロックを、最後にフランジのあるカバープレートを必要とする。
【０００３】
中央フランジがハウジングに設けられたフランジ端子も知られており、前記フランジは隣接するフランジ端子のハウジングに挿入される。
【０００４】
フランジ端子としての使用のみならず、端子ブロックはしばしばトップハットレールにも取り付けられる。それらをトップハットレールに取り付けるためにフランジは必要ない。しかしながら、同一の電気構成が、異なるシステムに設けられることが原則的には望ましい。
【０００５】
個々の端子の個々の接点を同じ電位に設定可能とするために、ジャンパーリンク（ｊｕｍｐｅｒ  ｌｉｎｋ）またはクロスブリッジ（ｃｒｏｓｓ  ｂｒｉｄｇｅ）が可能な端子ブロックがしばしば必要とされる。その過程において、製造者特有のクロスブリッジを使用することを可能とすべきである。個々の接続端子にジャンパーリンクとして特別なブリッジを開発するのは、それだけの価値がないからである。
【０００６】
記載した従来技術を背景に、本発明の目的は、端子ブロックを提供することであり、この端子ブロックは、より少ない異なる構成要素を使用して完成され、好ましくはクロスブリッジに適している。
【０００７】
この目的は請求項１の特徴を有する端子ブロックによって達成される。好ましい発展形態は従属項の主題である。本発明のさらなる利点および特徴は、全体的な説明および実施形態の説明から明らかになる。
【０００８】
本発明による端子ブロックは、少なくとも１つの接続端子ハウジングを含む。接続端子ハウジングは長手方向に延びる。長手方向と交差する横方向において、接続端子ハウジングは列を作ることができる（ｒｏｗ−ｃａｐａｂｌｅ）。長手方向で見ると、第１フランジが接続端子ハウジングの第１端部の第１領域において第１の方向に延びる。長手方向で見ると、第２フランジが、接続端子ハウジングの第２端部の第２領域において、第１の方向と異なる第２の方向に延びる。
【０００９】
本発明による端子ブロックは多数の利点を有する。本発明による端子ブロックの著しい利点は、第１フランジおよび第２フランジが異なる方向に延びることにおいて達成される。第１フランジおよび第２フランジは共通軸に沿って延びないが、異なる方向に延びる。従ってクロスブリッジの提供が簡単に容易になる。これとは別に、全体的により少ない構成要素による複数の接続端子ハウジングを用いた端子ブロックの構成が容易になる。２つの構成要素のみ、すなわち、接続端子ハウジングと、接続端子ハウジングを完成するカバープレートとを、ここで使用しさえすればよいからである。カバープレートにフランジは必要ない。
【００１０】
複数の接続端子ハウジングを隣り合わせに連続して配置することができ、必要なカバープレートは１つだけということもある。
【００１１】
カバープレートは、トップハット取付け可能なモジュラー端子ブロックで使用することもできる。
【００１２】
本発明による端子ブロックは、小型フランジ端子として構成され、特に列を作ることができ、この点で、モジュラー端子ブロックとして記載することもできる。
【００１３】
好ましい実施形態では、少なくとも１つの挿入開口がクロスブリッジ用に設けられる。特に、挿入開口は接続端子ハウジングの中央領域に設けられる。従って、クロスブリッジ用の挿入開口は、フランジがブリッジの挿入を阻むことができないように、またはブリッジの寸法を制限できないように、第１フランジと第２フランジの間に配置される。
【００１４】
好ましい実施形態では、少なくとも第１フランジは、接続端子ハウジングに対してある角度で配置される。好ましくはまたは代替的に、第２フランジは同じく、接続端子ハウジングに対してある角度で配置することができる。特に好ましくは、第１フランジと第２フランジはそれぞれ、接続端子ハウジングに対してある角度で配置することができる。特に好ましくは、少なくとも１つの第１および／または第２フランジは、接続端子ハウジングに対して概ね横に延びる。
【００１５】
原則的に、第１および／または第２フランジの延伸部と、接続端子ハウジングの長手延伸部との間の角度は、いかなる大きさであってもよい。角度付きフランジの場合、角度は好ましくは３０度より大きく、特に６０〜１５０度である。特に好ましくは、少なくとも１つのフランジは、接続端子ハウジングの長手延伸部に対してほぼ直角に延びる。
【００１６】
組み立てた状態で、第１接続端子ハウジングのフランジが、隣接する第２接続端子ハウジングの下へ延びることが可能であり好ましい。この過程において、１つの接続端子ハウジングのフランジが、隣接する接続端子ハウジングのフランジの中へ延びることが可能である。
【００１７】
好ましくは、第２の方向は第１の方向と反対に整列される。この過程において、第１フランジは、第２フランジが配置される平面と略平行な平面に配置されると好ましい。
【００１８】
特に好ましい実施形態では、第１および第２フランジは、接続端子ハウジングに対して実質的に点対称に配置される。これは、大まかに見て、接続端子ハウジングのいくらかＳ字状の形態が現れ、接続端子ハウジングのそれぞれ各端部において、１つのフランジが接続端子ハウジングから外方へ延びていることを意味する。
【００１９】
点対称構成は、それにより簡単かつ明確に配置された構造が容易になり、また端子ブロックの内側に挿入できる同一部品の使用が可能になるので、有利である。
【００２０】
接続端子ハウジングは好ましくは片側において閉鎖されるが他方側からアクセスできるように構成される。開放側は、隣接する接続端子ハウジングによって覆われるか、あるいは例えばカバープレートによって閉鎖される。その過程において、カバープレートは１つの部品から構成可能であり、または２つ以上の別個の部品から成ることができる。
【００２１】
特に好ましくは、第１フランジの１つの横方向の幅は、接続端子ハウジングの横延伸部より大きい。同じく、接続端子ハウジングの横延伸部は、第２フランジの横方向の幅より小さい。好ましくは、第１および第２フランジの横方向の幅は同じである。接続端子ハウジングのより小さい横延伸部により、完全に小型の端子ブロックが実現される。
【００２２】
好ましい改良形態では、複数の接続端子ハウジングが隣り合わせに連続して配置され、接続端子ハウジングのフランジが、隣接する接続端子ハウジングの対応フランジの中に挿入される。そのような構成により、多数の接続端子ハウジングを有することができるコンパクトな端子ブロックが実現される。
【００２３】
好ましくは、少なくとも１つの第１および／または第２フランジは、フランジの前端部および／または横方向端部に少なくとも１つの面取り部を有する。
【００２４】
特に好ましくは、第１フランジおよび／または第２フランジに少なくとも１つのガイド溝が設けられる。この過程において、ガイド溝が隣接フランジのガイド外形部と相互作用することが特に好ましい。このため、少なくとも１つのガイド外形部が少なくとも第１および／または第２フランジに設けられる。接続端子が相互に押されると、ガイド外形部が対応するガイド溝と係合し、端子ブロックの自己調心および位置合わせをもたらす。
【００２５】
全体的に見て、本発明による端子ブロックは、それがより少ない数の異なる部品を有するように、その構成を容易にする。その過程において、隣り合わせに連続して配置可能でありかつクロスブリッジの使用が可能な小型フランジ端子の構成が容易となる。
【００２６】
この過程において、接続端子ハウジングの中央領域において端子ブロックの中に深く挿入される標準的ブリッジの使用が可能である。フランジは接続端子ハウジングの中央領域に設けられず、接続端子ハウジングの端部に設けられるので、完全な構造高さが、接続端子ハウジングの中央領域で利用可能であり、その中に標準的なブリッジをジャンパーリンクとして押すことができる。
【００２７】
端子ブロックはガイド溝とガイド外形部を有することができるので、端子ブロックの確実かつ正確に定められた保持が全体的に促される。さらに、ロックピンおよびロック穴を介したロックが可能である。
【００２８】
トップハットレール上のそのような端子ブロックの場合にも使用される同じカバープレートを、カバープレートとして使用することができる。本質的に同じ電気構造が使用され、端子ブロックはフランジを介して取り付けられるか、トップハットレールを介して取り付けられるかという点においてのみ異なるだけなので、トップハットレール用端子ブロックに取り付けるために提供されたカバープレートを、本発明による端子ブロックの場合にも使用することができる。従って、部品の多様性が全体的にここでも低減され、それゆえ、より安価な製造が可能になる。
【００２９】
本発明の他の利点および特徴は、実施形態の記載から明らかになる。
【図面の簡単な説明】
【００３０】
【図１】図１は、３つの接続端子ハウジングを有する本発明による端子ブロックの平面図を示す。
【図２】図２は、本発明による単一の端子ブロックの平面図を示す。
【図３】図３は、図２による端子ブロックの側面図を示す。
【図４】図４は、図２による端子ブロックの斜視図を示す。
【図５】図５は、図１の端子ブロックの下からの図を示す。
【図６】図６は、図１による端子ブロックの断面を示す。
【００３１】
添付の図１〜６を参照して、本発明による端子ブロック１の実施形態を以下に記載する。その過程において、図１は、隣り合わせに連続して配置された３つの接続端子ハウジング２ａ、２ｂおよび２ｃからなる、端子ブロック１の平面図を示す。図２は単一の端子ブロックを示す。
【００３２】
図１の各単一端子ブロック１は、第１フランジ１０と第２フランジ１１とを有し、それらはそれぞれ第１端部８および第２端部９において接続端子ハウジングから外方へ延びる。その過程において、第１フランジ１０は第１の方向１２に延び、第２フランジ１１は第２の方向１３へ延びる。第１の方向１２および第２の方向１３は、図２による単一接続端子の平面図において概ねＳ字状の形態が現れているように、ここでは平行にオフセットされ、反対方向に整列される。
【００３３】
各単一接続端子ハウジング２ａ、２ｂおよび２ｃは、接点開口２３および２４と、ここではまたクロスブリッジ５用の挿入開口４とを有する。さらに、テストプラグ用のテストホール２６が設けられる。
【００３４】
テストプラグ用テストホール２６およびクロスブリッジ５用挿入開口４はともに、各単一接続端子ハウジング２ａ、２ｂおよび２ｃの中央領域６に設けられる。その過程において、クロスブリッジ５用挿入開口４は、接続端子ハウジング２ａの長手方向で見ると、第１フランジ１０と第２フランジ１１の間に配置される。
【００３５】
従って、接続端子ハウジング２ｃのフランジ１０が、隣接する接続端子ハウジング２ｂの真下を貫いて延びることが可能になり、その結果、各単一接続端子ハウジング２ａ、２ｂおよび２ｃのそれぞれに２つのフランジ１０および１１を設けることができる。
【００３６】
同時に、ブリッジを使用することによってフランジ１０、１１を妨害することなく、標準的なブリッジをクロスブリッジ５に使用することができる。その他のフランジとともに同様に使用されるジャンパーリンクをここで挿入できるので、特別なクロスブリッジの構成は必要ない。
【００３７】
ブレーク接点２５を接点開口２３および２４のそれぞれに設けることができる。
【００３８】
図１の端子ブロック１は、３つの接続端子ハウジング２ａ、２ｂおよび２ｃと、接続端子ハウジング２ｃのみに接続するカバープレート３とを有する。
【００３９】
端子ブロック１は、ここでは、隣り合わせに連続して配置された３つの接続端子ハウジング２、すなわち２ａ、２ｂおよび２ｃからなる。各接続端子ハウジング２ａ、２ｂおよび２ｃは長手方向３２に延びる。接続端子ハウジング２ａ〜２ｃは長手方向３２と交差する横方向３３において隣り合わせに連続して配置される。長手方向３２は横方向に対して垂直に整列させることができるが、異なる角度であってもよい。例えば、３０°〜１５０°の角度が好ましい。しかしながら、特に、８０°〜１００°、好ましくは８５°〜９５°の略直角である。
【００４０】
長手方向３２で見ると、第１フランジ１０は、接続端子ハウジング２の（すなわち２ａ〜２ｃそれぞれの）第１端部８の第１領域３０において、第１の方向に延びる。第１フランジ１０は、第１端部８に正確に配置できるが、そこからかなりの距離のところに配置することもできる。
【００４１】
長手方向３２で見ると、第２フランジ１１は、接続端子ハウジング２の（すなわち２ａ〜２ｃそれぞれの）第２端部９の第２領域３１において、第１の方向１２と異なる第２の方向１３に延びる。第２フランジ１１もまた、第２端部９に正確に配置できるが、同じくそこからかなりの距離のところに配置することもできる。
【００４２】
全体的に見て、接続端子ハウジング２は、長手方向３２において３つの領域に、すなわち、第１端部８の第１領域３０と、第２端部の第２領域３１と、それらの間の（または少なくとも１つの）中央領域６とに分割することができる。
【００４３】
図２は単一の接続端子ハウジングを示し、ここでまた、各単一接続端子ハウジング２ａ、２ｂおよび２ｃに、接続端子ハウジングに対してある角度で異なる方向に延びる２つのフランジ１０および１１が設けられることが明確になっている。図２では２本の対称軸２７および２８が引かれ、対称軸２７および２８はフランジとの関係における対称点２９につながり、その結果、端子ブロック１の点対称が、フランジ１０、１１との関係において現れる。
【００４４】
図３は図２の端子ブロック１の側面図を示す。フランジ１０が接続端子ハウジングの片側１４において第１の方向１２に延びる一方、第２フランジ１１が接続端子ハウジング２の他方側１５にあることを明確に見ることができる。
【００４５】
接続端子ハウジング２が片側１４で閉鎖されるように構成される一方で、他方側１５で接続端子ハウジング２の内側は開放されるように構成される。
【００４６】
フランジ１０の横方向の幅１６はフランジ１１の横方向の幅１７と等しい。フランジ１０および１１の横方向の幅１６および横方向の幅１７は、接続端子ハウジング２の横延伸部１８より大きい。
【００４７】
フランジ１０、１１の側面および／または端部２０に、ガイド溝２１およびガイド外形部２２が設けられ、それにより各フランジ１０、１１は互いに正確に係合し、挿入時に互いに案内される。
【００４８】
フランジ１０および１１の前端部２０において、フランジ１０または１１の上側部分に面取り部分１９が設けられ、挿入を容易にする。さらに、ハウジングの安定性が増大される。
【００４９】
ゆえにフランジの構成に必要とされる壁厚が確保され、それにより適切な安定性および隣り合った複数の接続端子ハウジングの確実な取付けが実現される。
【００５０】
全体的に見て、本発明は、モジュラー端子ブロックとして構成可能でありかつ取付け用フランジを有する有利な端子ブロック１を提供する。固定用フランジが接続端子ハウジング２の端部に設けられているので、ジャンパーリンクの使用は可能であり、標準的なブリッジを使用することが可能である。
【符号の説明】
【００５１】
１  端子ブロック
２、２ａ、２ｂ、２ｃ  接続端子ハウジング
３  カバープレート
４  挿入開口
５  クロスブリッジ
６  中央領域
８  第１端部
９  第２端部
１０  第１フランジ
１１  第２フランジ
１２  第１の方向
１３  第２の方向
１４  片側
１５  他方側
１６、１７  横方向の幅
１８  横延伸部
１９  面取り部
２０  前端部
２１  ガイド溝
２２  ガイド外形部
２３、２４  接点開口
２５  ブレーク接点
２６  テストプラグ用テストホール
２７、２８  対称軸
２９  対称点
３０  第１領域
３１  第２領域
３２  長手方向
３３  横方向
【図１】
2014524648.tif 000003
【図２】
2014524648.tif 000004
【図３】
2014524648.tif 000005
【図４】
2014524648.tif 000006
【図５】
2014524648.tif 000007
【図６】
2014524648.tif 000008
【国際調査報告】
2014524648.tif 000009
2014524648.tif 000010
2014524648.tif 000011
2014524648.tif 000012
2014524648.tif 000013
2014524648.tif 000014